(57)【要約】【課題】  環境変動による光学素子の変位を防止して結像位置での位置ずれを防ぐことができる構成を備えた光書込装置を提供する。【解決手段】  不動部に対して位置決めされる位置決め部８Ａ３Ａを有し、内部が略密閉された筐体８Ａと、筐体８Ａに対して装着可能であり、折り返しミラー８Ｃを支持する素子保持部材８００とを有し、素子保持部材８００は、筐体８Ａよりも線膨張係数が低い材質からなる枠部材を備えるとともに、該枠部材の一部に筐体８Ａの装着位置に設けられている基準平面部８Ａ２に対して当接可能な位置決め基準部８００Ａおよび筐体８Ａの位置決め部８Ａ３０近傍に設けられて筐体８Ａと一体化される際に用いられる連結部８００Ｂとを備え、位置決め基準部８００Ａが基準平面部８Ａ２に対面した状態で筐体８Ａと一体化される際に、筐体８Ａに対して位置決め基準部８００Ａおよび連結部８００Ｂ以外の箇所を筐体８Ａとの間に隙間を持たせて一体化されることを特徴とする。【選択図】  図５
2006154090.tif 000002
【特許請求の範囲】
【請求項１】
光源から出射された光ビームの光学路中に折り返しミラーを備え、該光ビームを潜像担持体に向けて導くことにより該潜像担持体上に静電潜像を形成する光書込装置において、
不動部に対して位置決めされる位置決め部を有し、内部が略密閉された筐体と、
前記筐体に対して装着可能であり、前記折り返しミラーを支持する素子保持部材とを有し、
前記素子保持部材は、前記筐体よりも線膨張係数が低い材質からなる枠部材で構成され、該枠部材の一部に、前記筐体側での装着位置に設けられている基準平面部に対して当接可能な位置決め基準部および前記筐体側に装備されている位置決め部近傍に対応させて設けられて筐体と一体化される際に用いられる連結部とを備え、該位置決め基準部が前記基準平面部に対面した状態で前記筐体と一体化される際に、前記筐体に対して前記位置決め基準部および連結部以外の箇所を該筐体との間に隙間を持たせて一体化されることを特徴とする光書込装置。
【請求項２】
請求項１記載の光書込装置において、
前記素子保持部材には、少なくとも前記折返しミラーと、光源部とが配置されていることを特徴とする光書込装置。
【請求項３】
請求項１または２記載の光書込装置において、
前記素子保持部材の位置決め基準部は、枠部材における前記筐体の基準平面部に対面して平行する折り曲げ部であり、該折り曲げ部の折り曲げ方向が素子保持部材の外側に向けた方向とされていることを特徴とする光書込装置。
【請求項４】
請求項１乃至３のうちの一つに記載の光書込装置において、
前記素子保持部材の前記折り曲げ部にはハーネスクランプ用の穴部が設けられ、同期光学系、光偏向器、サーミスタ等のハーネス経路に用いることを特徴とする光書込装置。
【請求項５】
請求項１乃至４のうちの一つに記載の光書込装置を具備したことを特徴とした画像形成装置。
【発明の詳細な説明】
【技術分野】
【０００１】
本発明は、光書込装置およびこれを用いる画像形成装置に関し、さらに詳しくは、光学素子の取り付け構造に関する。
【背景技術】
【０００２】
複写機やプリンタあるいはファクシミリ装置などの画像形成装置においては、潜像担持体として用いられる感光体への静電潜像を形成する装置の一つとしてレーザ光などの光ビームを用いる光書込装置が用いられる場合がある（例えば、特許文献１，２）。
【０００３】
光書込装置においては、光源から出射された光ビームを走査レンズや折り返しミラーなどを用いた光学素子を介して潜像担持体に導き、スポット照射するようになっている。そして、これら光学素子は、防塵のために内部が略密閉された筐体内に収容されて固定保持されている。
【０００４】
ところで、前述した光学素子は画像形成装置内に装備されている書込装置を構成する筐体に対して直接取り付けられて設けられることが多い。このため、装置内での環境変動、例えば、温度変化によって光学素子の特性が変化することがある。つまり、温度上昇により筐体が熱膨張するとこれに応じて光学素子が変位してしまうことがある。この結果、潜像担持体上での光ビームのスポット位置、いわゆる結像位置が所定の位置から外れてしまい、例えば複数の色画像を重合するような場合には色ずれなどを生じた異常画像が得られてしまうことになる。
【０００５】
従来、光学素子の変位によるスポット位置ずれを防止する構成として、光学素子として用いられる折り返しミラーの向きを調整するようにした構成（例えば、特許文献３）、複数の色画像を作成する際に用いられる各作像部を対象とする光書込装置に用いられる光源や偏向手段を各作像部毎に個別化されたユニット内に配置すると共に、結像光学系に用いられる折り返しミラー群を纏めて収容する空間部を空冷する構成（例えば、特許文献４）が知られている。
【０００６】
【特許文献１】特開平６−１４８５５３号公報（段落「０００２」欄）
【特許文献２】特開平１０−２３２３６０号公報（段落「０００４」欄）
【特許文献３】特開２００２−２７７７８５号公報（段落「００３５」欄）
【特許文献４】特開２００２−１１６４００号公報（段落「００１３」欄）
【発明の開示】
【発明が解決しようとする課題】
【０００７】
熱膨張の影響による折り返しミラーの変位を防止する構成として、折り返しミラーの向きを調整する構成では複数色の画像作成を対象とした場合にその調整作業が面倒となるばかりでなく、調整した後においても筐体側の熱膨張が起こるたびに折り返しミラーの変位が生じる虞がある。  
一方、ユニット化することで光源や偏向手段への熱膨張の影響を避けるようにした場合、ユニット化による装置の大型化は否めない。しかも、折り返しミラー群をユニットとは別の位置に配置して冷却することからユニットとは別の冷却部を設けることになることからも装置の大型化や複雑化は否めなくなる。
【０００８】
本発明の目的は、上記従来の光書込装置における問題に鑑み、環境変動による光学素子の変位を防止して結像位置での位置ずれを防ぐことができる構成を備えた光書込装置および画像形成装置を提供することにある。
【課題を解決するための手段】
【０００９】
請求項１記載の発明は、光源から出射された光ビームの光学路中に折り返しミラーを備え、該光ビームを潜像担持体に向けて導くことにより該潜像担持体上に静電潜像を形成する光書込装置において、不動部に対して位置決めされる位置決め部を有し、内部が略密閉された筐体と、前記筐体に対して装着可能であり、前記折り返しミラーを支持する素子保持部材とを有し、前記素子保持部材は、前記筐体よりも線膨張係数が低い材質からなる枠部材で構成され、該枠部材の一部に、前記筐体側での装着位置に設けられている基準平面部に対して当接可能な位置決め基準部および前記筐体の位置決め部近傍に設けられて筐体と一体化される際に用いられる連結部とを備え、該位置決め基準部が前記基準平面部に対面した状態で前記筐体と一体化される際に、前記筐体に対して前記位置決め基準部および連結部以外の箇所を該筐体との間に隙間を持たせて一体化されることを特徴としている。
【００１０】
請求項２記載の発明は、請求項１記載の光書込装置において、前記素子保持部材には、少なくとも前記折返しミラーと、光源部とが配置されていることを特徴としている。
【００１１】
請求項３記載の発明は、請求項１または２記載の光書込装置において、前記素子保持部材の位置決め基準部は、枠部材における前記筐体の基準平面部に対面して平行する折り曲げ部であり、該折り曲げ部の折り曲げ方向が素子保持部材の外側に向けた方向とされていることを特徴としている。
【００１２】
請求項４記載の発明は、請求項１乃至３のうちの一つに記載の光書込装置において、前記素子保持部材の前記折り曲げ部にはハーネスクランプ用の穴部が設けられ、同期光学系、光偏向器、サーミスタ等のハーネス経路に用いられることを特徴としている。
【００１３】
請求項５記載の発明は、請求項１乃至４のうちの一つに記載の光書込装置を画像形成装置に具備したことを特徴としている。
【発明の効果】
【００１４】
請求項１および２記載の発明によれば、不動部に位置決めされた設けられる筐体に対して装着可能で、かつ線膨張係数が筐体よりも低い素子保持部材を備え、素子保持部材が筐体に対して取り付けられる際には、筐体側の位置決め部近傍の連結部を介して一体化されると共に筐体側の基準平面部に当接する位置決め基準部と連結部以外の箇所が筐体との間で隙間を持たせてあるので、線膨張係数の低いことも相俟って筐体側からの熱伝導を抑制することができ、光学素子への伝熱を低くして光学素子の変位を防止することが可能となる。しかも、素子保持部材の線膨張係数が筐体よりも低いことにより、当接している筐体の放熱を行うこともでき、これにより、素子保持部材自体だけではなく筐体の熱的変形をも抑制して光学素子の変位を防止しやすくすることができる。
【００１５】
請求項３記載の発明によれば、素子保持部材に設けられている位置決め基準部が筐体の基準平面部と対面して平行する折り曲げ部であるので、当接させるだけで筐体に対する素子保持部材の位置決めを完了させることができる。これにより、特別な位置決め構造を用いないで済む。しかも、折り曲げ部の折り曲げ方向が素子保持部材お外側に向けた方向であるので、筐体側からの熱が素子保持部材内部に行き渡ることがなく、これにより光学素子の変位を抑制することが可能となる。
【００１６】
請求項４記載の発明によれば、折り曲げ部を単なる位置決め部として用いるのでなく、ハーネス経路として用いるので、単一部に多機能を備えさせて構成の簡略化が可能となる。
【００１７】
請求項５記載の発明によれば、光学素子の収容部が筐体に直接ではなく筐体に対して熱伝導を抑制された素子保持部材であるので、光学素子の変位を防止して光ビームのスポット位置が変化するのを防止することが可能となる。特に複数色の画像形成に際しては、各色画像の重合位置がずれるのを防止でき琉ので、色ずれなどの異常画像の発生を防止することが可能となる。
【発明を実施するための最良の形態】
【００１８】
以下、図示実施例により本発明を実施するための最良の形態について説明する。
【実施例】
【００１９】
図１は、本発明実施例による光書込装置が適用される画像形成装置を示しており、同図に示した画像形成装置は、複数の色画像を形成する作像部がベルトの展張方向に沿って並置されたタンデム方式を用いるカラープリンタあるが、本発明はこの方式に限ることはなく、またプリンタだけではなく複写機やファクシミリ装置などを対象とすることも可能である。
【００２０】
図１において画像形成装置１００は、イエロー、シアン、マゼンタ、ブラックの各色に色分解された色にそれぞれ対応する像としての画像を形成可能な像担持体としての感光体ドラム２０Ｙ、２０Ｃ、２０Ｍ、２０Ｂｋを並設したタンデム構造が採用されている。  
図１に示す構成の画像形成装置１００は、各感光体ドラム２０Ｙ、２０Ｃ、２０Ｍ、２０Ｂｋに形成された可視像が、各感光体ドラム２０Ｙ、２０Ｃ、２０Ｍ、２０Ｂｋに対峙しながら矢印Ａ１方向に移動可能な無端ベルトが用いられる中間転写体（以下、転写ベルトという）１１に対して１次転写行程を実行してそれぞれの画像が重畳転写され、その後、記録シートなどが用いられる転写紙Ｓに対して２次転写行程を実行することで一括転写されるようになっている。
【００２１】
各感光体ドラムの周囲には、感光体ドラムの回転に従い画像形成処理するための装置が配置されており、いま、ブラック画像形成を行う感光体ドラム２０Ｂｋを対象として説明すると、感光体ドラム２０Ｂｋの回転方向に沿って画像形成処理を行う帯電装置３０Ｂｋ，現像装置４０Ｂｋ、１次転写ローラ１２Ｂｋおよびクリーニング装置５０Ｂｋが配置されている。帯電後に行われる書き込みは、後述するように、光書込装置８が用いられる。
【００２２】
転写ベルト１１に対する重畳転写は、転写ベルト１１がＡ１方向に移動する過程において、各感光体ドラム２０Ｙ、２０Ｃ、２０Ｍ、２０Ｂｋに形成された可視像が、転写ベルト１１の同じ位置に重ねて転写されるよう、転写ベルト１１を挟んで各感光体ドラム２０Ｙ、２０Ｃ、２０Ｍ、２０Ｂｋに対向して配設された１次転写ローラ１２Ｙ、１２Ｃ、１２Ｍ、１２Ｂｋによる電圧印加によって、Ａ１方向上流側から下流側に向けてタイミングをずらして行われる。
【００２３】
各感光体ドラム感光体ドラム２０Ｙ、２０Ｃ、２０Ｍ、２０Ｂｋは、Ａ１方向の上流側からこの順で並んでいる。各感光体ドラム感光体ドラム２０Ｙ、２０Ｃ、２０Ｍ、２０Ｂｋは、イエロー、シアン、マゼンタ、ブラックの画像をそれぞれ形成するための画像ステーションに備えられている。
【００２４】
画像形成装置１００は、各色毎の画像形成処理を行う４つの画像ステーションと、各感光体ドラム２０Ｙ、２０Ｃ、２０Ｍ、２０Ｂｋの上方に対向して配設され、転写ベルト１１及び１次転写ローラ１２Ｙ、１２Ｃ、１２Ｍ、１２Ｂｋを備えた転写ベルトユニット１０と、転写ベルト１１に対向して配設され転写ベルト１１に従動し、連れ回りする転写部材としての転写ローラである２次転写ローラ５と、転写ベルト１１に対向して配設され転写ベルト１１上をクリーニングする中間転写ベルトクリーニング装置１３と、これら４つの画像ステーションの下方に対向して配設された光書き込み装置としての光書込装置８とを有している。  
本実施例における光書込装置８は、光源としての半導体レーザ、カップリングレンズ、ｆθレンズ、トロイダルレンズ、折り返しミラーおよび偏向手段としての回転多面鏡などを装備しており、各感光体ドラム２０Ｙ，２０Ｃ，２０Ｍ，２０Ｂｋに対して色毎に対応した書き込み光Ｌｂ（図１では、便宜上、ブラック画像の画像ステーションのみを対象として符号が付けてあるが、その他の画像ステーションも同様である）を出射して感光体ドラム２０Ｙ，２０Ｃ，２０Ｍ，２０Ｂｋに静電潜像を形成する構成とされている。なお、光書込装置に関する構成については後で詳述する。
【００２５】
画像形成装置１００には、感光体ドラム２０Ｙ、２０Ｃ、２０Ｍ、２０Ｂｋと転写ベルト１１との間に向けて搬送される転写紙Ｓを積載した給紙カセットとしてのシート給送装置６１と、シート給送装置６１から搬送されてきた記録紙Ｓを、画像ステーションによるトナー像の形成タイミングに合わせた所定のタイミングで、各感光体ドラム２０Ｙ、２０Ｃ、２０Ｍ、２０Ｂｋと転写ベルト１１との間の転写部に向けて繰り出すレジストローラ対４と、転写紙Ｓの先端がレジストローラ対４に到達したことを検知する図示しないセンサとが設けられている。
【００２６】
画像形成装置１００には、トナー像が転写された転写紙Ｓにトナー像を定着させるためのローラ定着方式の定着ユニットとしての定着装置６と、定着済みの転写紙Ｓを画像形成装置１００の本体外部に排出する排紙ローラ７と、画像形成装置１００の本体上部に配設され排出ローラ７により画像形成装置１００の本体外部に排出された転写紙Ｓを積載する排紙トレイ１７と、排紙トレイ１７の下側に位置し、イエロー、シアン、マゼンタ、ブラックの各色のトナーを充填されたトナーボトル９Ｙ、９Ｃ、９Ｍ、９Ｂｋとが備えられている。
【００２７】
転写ベルトユニット１０は、転写ベルト１１、１次転写ローラ１２Ｙ、１２Ｃ、１２Ｍ、１２Ｂｋの他に、転写ベルト１１が掛け回されている駆動ローラ７２及び従動ローラ７３を有している。
【００２８】
従動ローラ７３は、転写ベルト１１に対する張力付勢手段としての機能も備えており、このため、従動ローラ７３には、バネなどを用いた付勢手段が設けられている。このような転写ベルトユニット１０と、１次転写ローラ１２Ｙ、１２Ｃ、１２Ｍ、１２Ｂｋと、２次転写ローラ５と、クリーニング装置１３とで転写装置７１が構成されている。
【００２９】
シート給送装置６１は、画像形成装置１００の本体下部に配設されており、最上位の転写紙Ｓの上面に当接する給紙ローラとしての給送ローラ３を有しており、給送ローラ３が反時計回り方向に回転駆動されることにより、最上位の転写紙Ｓをレジストローラ対４に向けて給送するようになっている。
【００３０】
定着装置６は、熱源を内部に有する定着ローラ６２と、定着ローラ６２に圧接された加圧ローラ６３とを有しており、トナー像を担持した転写紙Ｓを定着ローラ６２と加圧ローラ６３との圧接部である定着部に通すことで、熱と圧力との作用により、担持したトナー像を転写紙Ｓの表面に定着するようになっている。
【００３１】
転写装置７１に装備されているクリーニング装置１３は、詳細な図示を省略するが、転写ベルト１１に対向、当接するように配設されたクリーニングブラシとクリーニングブレードとを有しており、転写ベルト１１上の残留トナー等の異物をクリーニングブラシとクリーニングブレードとにより掻き取り、除去して、転写ベルト１１をクリーニングするようになっている。クリーニング装置１３はまた転写ベルト１１から除去した残留トナーを搬出し廃棄するための図示しない排出手段を有している。なお、図１に示す構成の画像形成装置１００では、転写ベルト１１に対して各感光体ドラムで形成された画像を順次転写することで色画像が重畳されたものを２次転写ローラ５により転写紙Ｓに一括転写する方式であるが、これに代えて、転写ベルト１１に転写紙Ｓを担持し、この転写紙Ｓを各感光体ドラムに対峙させて各色の画像を直接転写紙Ｓ上で重畳する方式とすることも可能である。
【００３２】
図２は、光書込装置８を示す図であり、同図において光書込装置８は、画像形成装置１００内の不動部に取り付けられる筐体８Ａに対して装着可能な素子保持部材８００を備えている。  
筐体８Ａは、上面が開放されて内部に部品の収容空間を有した箱状部材で構成され、書き込み走査系に用いられる部材のうちで、光源ユニット、偏向器、結像光学系、同期光学系、折り返しミラーの一部およびアパーチャやシリンドリカルレンズなどを収容できるようになっている。筐体８Ａの上面は、透明な樹脂あるいはガラス製のカバー部材８Ｃ（図２参照）が配置されて塞がれるようになっている。
【００３３】
素子保持部材８００は、書き込み走査系を構成する部材のうちで複数の折り返しミラー８Ｂが配置され、筐体８Ａ内に収容された状態で筐体８Ａの開放面がカバー部材８により塞がれることによる略密閉された状態を維持して防塵されるようになっている。
【００３４】
筐体８Ａは、その開放面がカバー部材８Ｃで覆われるが、素子保持部材８００内に有する折り返しミラー８Ｂから感光体ドラムに対する光ビームの出射部が窓部として形成され、その窓部はガラスなどの透明部材で塞がれて防塵できるようになっている。以下、各部について説明する。
【００３５】
図３は、筐体８Ａの構成を示す図であり、図４は素子保持部材８００の構成を示す図であり、そして図５は筐体８Ａに対して素子保持部材８００が装着された状態を示す図である。  
図３において筐体８Ａの内部底面には、収容される部材の一つである回転多面鏡の取り付け部８Ａ１が中央に設けられ、中央部を挟んで図中、矢印で示す副走査方向の両側には基準平面部８Ａ２が設けられている。
【００３６】
基準平面部８Ａ２は、素子保持部材８００の載置面をなし、図において副走査方向と直角な方向に相当する主走査方向両側に位置する側壁８Ａ３には、画像形成装置本体側の不動部である筐体側に位置する取り付け位置に対して締結可能な位置決め部８Ａ３０が４隅近傍に設けられている。
【００３７】
位置決め部８Ａ３０を装置本体側に締結する際には、装置本体側の支持部における取り付け位置からネジを挿通して位置決め部８Ａ３０を締結する。このため、位置決め部８Ａ３０には、樹脂中に雌ねじを形成したナットが充填されている。
【００３８】
一方、図４において素子保持部材８００は、筐体８Ａよりも線膨張係数が低い金属製の枠部材で構成されており、複数の折り返しミラー８Ｂがその長手方向両端を取り付けられて一体化されている。
【００３９】
素子保持部材８００の底面において副走査方向（図中、矢印で示す方向）の両側には筐体８Ａに設けられている基準平面部８Ａ２に当接可能な位置決め基準部８００Ａが枠部材の４隅部分に設けられている。  
位置決め基準部８００Ａは、素子保持部材８００を構成している枠部材における底面の一部を折り曲げた折り曲げ部により構成されており、折り曲げ部の折り曲げ方向が素子保持部材８００の外側に向けた方向とされている。これにより、筐体８Ａ側の基準平面部８Ａ２に位置決め基準部８００Ａを載置させて当接させることができるので、筐体８Ａ側の基準となる平面部と素子保持部材８００側との整合関係を一致させて筐体８Ａ側に配置されている光学部材と素子保持部材８００側に装備されている光学素子との光路を所定条件に設定することができる。  
しかも、折り曲げ方向を素子保持部材８００の外側に向けていることにより、筐体８Ａからの伝熱が素子保持部材８００の内部に及ばないようにすることができる。
【００４０】
さらに、位置決め基準部８００Ａには、図示しないが、切り欠きあるいは穴によってハーネスクランプ部が設けられ、このハーネスクランプ部を同期光学系、光偏向器、サーミスタ等のハーネス経路として用いるようになっている。このように一部材を多機能部品として用いることで構成の簡略化が図れるようになっている。
【００４１】
素子保持部材８００を構成する枠部材における位置決め基準部８００Ａの近傍には、筐体８Ａ側の位置決め部８Ａ３の近傍に対応する位置に連結部８Ｂが設けられている。  
連結部８００Ｂは、筐体８Ａ側に形成された貫通穴に挿通されるネジの締結部で構成されており、筐体８Ａの外側からネジを挿通することにより素子保持部材８００を締結した際に素子保持部材８００を筐体８Ａの側壁内面に向けて密着させることができるようになっている。
【００４２】
上述した連結部８００Ｂは、筐体８Ａの側壁内面に向けて突出する突起部で構成されて筐体８Ａ側に締結された際に密着するようになっている。このため、副走査方向に沿った素子保持部材８００の枠部材における長手方向においては、連結部８００Ｂ以外の箇所が筐体８Ａの側壁内面との間に隙間が形成されるとともに、連結部８００Ｂによって筐体８Ａの側壁内面と素子保持部材８Ａの側面との平行度が確保されるようになっている。
【００４３】
本実施例は以上のような構成であるから、筐体８Ａに対して素子保持部材８００を装着する際には、筐体８Ａに対して素子保持部材８００を締結することが行われる。  
締結に際しては、素子保持部材８００を筐体８Ａ内に装填し、素子保持部材８００の底面に有する位置決め基準部８００Ａを筐体８Ａ側の基準平面部８Ａ２に載置する。これにより、基準平面部８Ａ２を基準とした上下方向での両者の位置が整合される。
【００４４】
基準平面部８Ａ２に載置された素子保持部材８００は、連結部８００Ｂに対して筐体８Ａ側から挿通されたネジを締結されることにより筐体８Ａの側壁内面に向けて引かれることになる。この状態で連結部８００Ｂが筐体８Ａの側壁内面に密着することができ、連結部８００Ｂが筐体の側壁内面に密着すると副走査方向では連結部以外の箇所が筐体８Ａの側壁内面との間で隙間を持たせた状態で保持される。
【００４５】
これにより、筐体８Ａに対して素子保持部材８００側の接触部は位置決め基準部８００Ａと連結部８００Ｂということになり、その他の箇所は筐体８Ａとは接触しない関係とされる。このため、筐体８Ａから素子保持部材８００への伝熱経路がきわめて少ない状態とされるので、光書込装置８の周辺温度が変動した場合、筐体８Ａに膨張、収縮あるいはねじれなどの変形が生じた場合でも素子保持部材８００側での伝熱が抑制されていることになる。
【００４６】
素子保持部材８００は、自身の線膨張係数が筐体８Ａよりも低いことも相俟って、伝熱による膨張、収縮あるいはねじれの変形を生じにくくなるので、折り返しミラーの変形や位置ずれを防止することができる。これにより折り返しミラーの変形や位置ずれによるスポット位置ずれが防止できることになり、画像同士の重合位置ずれを防ぐことが可能となる。
【００４７】
一方、筐体８Ａに収容された状態で装着されて一体化される素子保持部材８００は、筐体８Ａに対する補強部材となる裏当て部材として機能するとともに、筐体８Ａの放熱が行える部材として機能することができる。これにより、筐体８Ａの剛性を高めると共に、筐体８Ａでの温度上昇を抑えて熱的な変形を抑制することができる。特に、筐体８Ａの構成材料である樹脂よりも剛性の高い金属製の素子保持部材８００が筐体８Ａの補強部材として用いられているので、光書込装置８の周辺温度の変動による筐体８Ａの変形を抑止しやすくすることができ、感光体に対する結像光学系での光路変化を防止することも可能となる。  
なお、筐体８Ａの変形抑止のために機能する素子保持部材８００は、上記したように連結部８００Ｂのみを筐体８Ａの側壁内面に密着させる構成とすることに限定されるものではなく、例えば、連結部８００Ｂと同様にエンボス部とした部分を副走査方向に複数設けて筐体８Ａとの接触面積を小さくした状態で側壁内面に密着させる構成やあるいはビード加工などにより側壁内面の副走査方向で連続して接触する構成とすることも可能である。なお、装置本体側の筐体支持部と素子保持部材８００との線膨張係数をほぼ同等に設定することもでき、この場合には、装置本体側に支持されている感光体ドラムと素子保持部材８００側との温度変化による変形度合いを同じにすることができるので、感光体ドラムとこれに対する結像光学素子とが同方向に変位することになり、両者間での相対位置の変動を小さくすることも可能となり、感光体ドラム上でのスポット位置変動が低減されることにもなる。
【００４８】
また、筐体８Ａの基準平面部８Ｂ２に載置される素子保持部材８００の位置決め基準部８００Ｂには、ハーネス経路が設けられているので、ハーネスを迂回させないで素子保持部材８００に設けられている光学素子に対して短い距離で接続させることができる。これにより、ハーネスの取り回しに必要となるスペースを敢えて設ける必要がなくなり、装置内の小型化が可能となる。
【図面の簡単な説明】
【００４９】
【図１】本発明の実施例による光書込装置を備えた画像形成装置の構成を説明するための図である。
【図２】本発明実施例による光書込装置に装備されている部材を説明するための図である。
【図３】本発明実施例による光書込装置に用いられる筐体の構成を説明するための図である。
【図４】本発明実施例による光書込装置に用いられる素子保持部材の構成を説明するための図である。
【図５】図３および４に示した筐体および素子保持部材の装着状態を示す図である。
【符号の説明】
【００５０】
８  光書込装置
８Ａ  筐体
８Ａ２  基準平面部
８Ｂ  折り返しミラー
１００  画像形成装置
８００  素子保持部材
８００Ａ  位置決め基準部
８００Ｂ  連結部
【図１】
2006154090.tif 000003
【図２】
2006154090.tif 000004
【図３】
2006154090.tif 000005
【図４】
2006154090.tif 000006
【図５】
2006154090.tif 000007